(57)【要約】  【課題】  電子機器を操作する操作者に対して、操作のイメージが掴みやすく、電子機器の操作の理解促進を図ることができる電子機器の取扱説明の表示方法を提供する。  【解決手段】  情報端末の画面１０に電子機器の操作部を表示する操作画面１１と電子機器と同様の設定画面を表示するモニター画面１２とを表示し、操作画面１１のうち、電子機器の設定をするときに操作する操作ボタンを強調表示させ、強調表示させた操作ボタンを操作することにより、モニター画面１２を電子機器が操作されたときと同様の画面にする。【選択図】  図１
2005056232.tif 000002
【特許請求の範囲】
【請求項１】
情報端末の画面に電子機器の取扱説明を表示する電子機器の取扱説明の表示方法において、前記情報端末の画面に、前記電子機器の操作部を表示する第１の画面と前記電子機器と同様の設定画面を表示する第２の画面とを表示するとともに、前記第１の画面のうち、前記電子機器の設定をするときに操作する操作部の操作可能な操作ボタンを強調表示させ、前記強調表示させた操作ボタンを操作することにより、前記第２の画面を前記電子機器が操作されたときと同様の画面にすることを特徴とする電子機器の取扱説明の表示方法。
【請求項２】
前記操作ボタンは、点滅によって強調表示を行うことを特徴とする請求項１記載の電子機器の取扱説明の表示方法。
【請求項３】
前記情報端末の画面が、タッチパネルであることを特徴とする請求項１または２記載の電子機器の取扱説明の表示方法。
【発明の詳細な説明】
【技術分野】
【０００１】
本発明は、ＰＣ等の情報端末の画面を用いて、電子機器を操作する操作者がわかり易い電子機器の取扱説明の表示方法に関するものである。
【背景技術】
【０００２】
従来、電子機器自体が様々な機能を持つことにより、電子機器の操作が複雑となっており、電子機器の操作を説明する取扱説明書が厚くなってしまうことを解決するために、取扱説明書を電子化し、ＰＣやＶＴＲ等を利用して電子機器の操作を説明するものがあった。（例えば、特許文献１）
【特許文献１】特開２０００−１８４４７５号公報
【発明の開示】
【発明が解決しようとする課題】
【０００３】
しかしながら、従来の電子機器の取扱説明の表示方法は、単に取扱説明書を電子化したものであり、操作者にとって電子機器を操作するイメージが掴みにくいという問題があった。
【０００４】
本発明は、操作者が電子機器の操作のイメージが掴みやすく、電子機器の操作の理解促進を図ることができる電子機器の取扱説明の表示方法を提供するものである。
【課題を解決するための手段】
【０００５】
本発明の電子機器の取扱説明の表示方法は、情報端末の画面に電子機器の取扱説明を表示する電子機器の取扱説明の表示方法において、前記情報端末の画面に、前記電子機器の操作部を表示する第１の画面と前記電子機器と同様の設定画面を表示する第２の画面とを表示するとともに、前記第１の画面のうち、前記電子機器の設定をするときに操作する操作部の操作可能な操作ボタンを強調表示させ、前記強調表示させた操作ボタンを操作することにより、前記第２の画面を前記電子機器が操作されたときと同様の画面にすることによって、操作者が電子機器を操作するイメージを掴みやすく、電子機器の操作の理解促進を図ることができるという作用を有するものである。
【０００６】
また、本発明の電子機器の取扱説明の表示方法は、前記情報端末の画面が、タッチパネルであることにより、操作者がより電子機器を操作するイメージを掴みやすくすることができるという作用を有するものである。
【発明の効果】
【０００７】
本発明によれば、操作者が電子機器の操作のイメージを掴みやすく、電子機器の操作の理解促進を図ることができる電子機器の取扱説明の表示方法を提供できる。
【発明を実施するための最良の形態】
【０００８】
以下、本発明の実施の形態について、図１〜図６を用いて説明する。
【０００９】
本発明の電子機器の取扱説明の表示方法は、電子機器を操作する操作者（ユーザー）に対し、ＰＣ等の情報端末を利用して電子機器の操作をシミュレーションさせ、電子機器の操作を理解促進させるものである。なお、本発明の実施の形態では、ハードディスクレコーダの操作について説明するが、ハードディスクレコーダに限らないことは言うまでもない。
【００１０】
図１は、本発明の実施の形態の電子機器の取扱説明の表示方法におけるハードディスクレコーダの操作のシミュレーションをするＰＣの表示画面１０（以降、ＰＣ表示画面）である。
【００１１】
ＰＣ表示画面１０には、ハードディスクレコーダの操作部を表示する操作画面１１と、ハードディスクレコーダと同様の設定画面を表示するモニター画面１２と、ハードディスクレコーダの操作を説明する操作説明用画面１３とが表示されている。なお、モニター画面１２に表示される設定画面は、実際のハードディスクレコーダでは、ハードディスクレコーダに接続されるモニターに表示される。一方、操作説明用画面１３は、ＰＣ表示画面１０にのみ表示され、実際のハードディスクレコーダを操作する際には表示されない画面である。
【００１２】
操作画面１１には、ハードディスクレコーダと同様の画面を表示する液晶ディスプレイ１４、ジョグダイヤル１５、停止ボタン１６、コマ送りボタン１７、及び、早送り／巻戻しボタン１８が表示されている。また、操作画面１１には、ジョグダイヤル１５の回転を操作するボタンとして、回転矢印ボタン１９が表示されている。つまり、操作者が実際のハードディスクレコーダでジョグダイヤル１５を回転する操作をする場合、このシミュレーションでは、回転矢印ボタン１９を操作することになる。
【００１３】
モニター画面１２には、複数の設定画面の中から１つの設定画面が選択され、表示されている。例えば、図１のように「ＳＥＴ  ＵＰ  ＭＥＮＵ」が表示されている状態では、日付・時刻を設定する日時設定部２０、１２時間制／２４時間制を切り換える時計表示モード設定部２１、日付と時刻を表示するかしないかを切り換える時計表示ＯＮ／ＯＦＦ設定部２２、および日付・時刻の位置を設定する時計表示位置設定部２３等が表示されている。
【００１４】
次に、本発明の実施の形態における電子機器の取扱説明の表示方法の動作について説明する。ここでは、ハードディスクレコーダの「ＳＥＴ  ＵＰ  ＭＥＮＵ」での日付・時刻の設定の仕方について、図１〜図６を用いて説明する。
【００１５】
「ＳＥＴ  ＵＰ  ＭＥＮＵ」を表示させた状態でＰＣ表示画面１０の操作画面１１は、図１に示すように、操作画面１１のコマ送りボタン１７、早送り／巻戻しボタン１８、ジョグダイヤル１５が強調表示されている（Ｓ１）。具体的には、コマ送りボタン１７、早送り／巻戻しボタン１８は、赤い太線で点滅表示されている。また、ジョグダイヤル１５は、「Ｐｕｓｈ」と赤い文字で表示されるとともに、赤い太線が点滅されている。なお、赤い太線で強調表示されている箇所は、実際のハードディスクレコーダで操作可能な箇所であり、強調表示されていない箇所は操作不可能な箇所である。
【００１６】
そして、モニター画面１２は、実際のハードディスクレコーダが動作している状態と同様に、「ＳＥＴ  ＵＰ  ＭＥＮＵ」を表示させる（Ｓ２）。モニター画面１２には、日時設定部２０の「ＣＬＯＣＫ→」の部分が反転で表示されている。
【００１７】
この状態において、ＰＣは、操作者がＰＣに接続されているマウスを操作し、強調表示されている箇所をクリックするかどうかを判定している（Ｓ３）。操作者が、例えば、マウスを操作し、マウスポインタ（図示せず）をジョグダイヤル１５の「Ｐｕｓｈ」の位置に移動させ、クリックした場合、ＰＣは図３に示すように、実際のハードディスクレコーダが動作している状態と同様に、モニター画面１２の日時設定部２０は、「ＣＬＯＣＫ→」の部分の反転表示を正常表示とし、「００」の部分を反転表示させる。また、操作画面１１はコマ送りボタン１７、早送り／巻戻しボタン１８の表示が強調表示でなくなり、停止ボタン１６と回転矢印ボタン１９とが赤い太線で点滅表示され、強調表示される。なお
、前の設定画面同様、赤い太線で強調表示されている箇所のみ、実際のハードディスクレコーダでも操作可能な箇所である。また、コマ送りボタン１７、巻戻し／早送りボタン１８がクリックされた場合でも、実際のハードディスクレコーダと同様の画面に変更される。
【００１８】
次に、操作者が、マウスポインタ（図示せず）をジョグダイヤル１５の回転矢印ボタン１９（時計方向）の位置に移動させ、クリックする。ジョグダイヤル１５の回転矢印ボタン１９（時計方向）をクリックすると、図４に示すように、実際のハードディスクレコーダが動作している状態と同様に、日時設定部２０の「００」が「０１」に変更される。なお、この場合、操作画面１１の操作可能な部分に変化がないため、操作画面１１の強調表示される箇所は変更されない。
【００１９】
次に、操作者が、マウスポインタ（図示せず）をジョグダイヤル１５の「Ｐｕｓｈ」の位置に移動し、クリックする。ジョグダイヤル１５の「Ｐｕｓｈ」をクリックすると、図５に示すように、実際のハードディスクレコーダが動作している状態と同様に、反転表示されている箇所が右側の「０１」に移動する。
【００２０】
一方、操作者が、図１の「ＳＥＴ  ＵＰ  ＭＥＮＵ」を表示させている状態でマウスポインタをコマ送りボタン１７に移動させ、クリックする。コマ送りボタン１７をクリックすると、図６に示すように、実際のハードディスクレコーダが動作している状態と同様に、反転表示される箇所が日時設定部２０の「ＣＬＯＣＫ→」から時計表示モード設定部２１の「ＴＹＰＥ１  ２４Ｈ」に変更される。また、操作画面１１のジョグダイヤル１５の「Ｐｕｓｈ」の文字の箇所の強調表示がなくなり、回転矢印ボタン１９が強調表示される。さらに、液晶ディスプレイ１４の表示も、実際のハードディスクレコーダが動作している状態と同様に、表示が変更される。
【００２１】
なお、本発明の実施の形態では、操作者がマウスでハードディスクレコーダのシミュレーションを行っているケースで説明したが、タッチパネルを利用した場合には、より実際のハードディスクレコーダを操作しているのと同様の感覚を受けることができる。
【００２２】
このように表示すれば、電子機器が手元にない状態でも、ＰＣ等の情報端末を利用して、操作者が電子機器の操作をイメージでき、電子機器の操作の理解促進を図ることができる。
【産業上の利用可能性】
【００２３】
以上のように、本発明の電子機器の取扱説明の表示方法は、電子機器が手元にない状態でも、ＰＣ等の情報端末を利用して、操作者が電子機器の操作をイメージでき、電子機器の操作の理解促進を図ることができる。特に、実際の電子機器に触れる時間が少ない販売店の営業担当者にとって、ＰＣ等の情報端末の画面だけで「ＳＥＴ  ＵＰ  ＭＥＮＵ」などの設定画面のシミュレーションできるメリットは大きいものである。
【図面の簡単な説明】
【００２４】
【図１】本発明の実施の形態における電子機器の取扱説明の表示方法のＰＣの表示画面を示す図
【図２】本発明の実施の形態における電子機器の取扱説明の表示方法のフローチャート
【図３】本発明の実施の形態における電子機器の取扱説明の表示方法のＰＣの表示画面を示す図
【図４】本発明の実施の形態における電子機器の取扱説明の表示方法のＰＣの表示画面を示す図
【図５】本発明の実施の形態における電子機器の取扱説明の表示方法のＰＣの表示画面を示す図
【図６】本発明の実施の形態における電子機器の取扱説明の表示方法のＰＣの表示画面を示す図
【符号の説明】
【００２５】
１０  ＰＣの表示画面
１１  操作画面
１２  モニター画面
１３  説明用表示画面
１４  液晶ディスプレイ
１５  ジョグダイヤル
１６  停止ボタン
１７  コマ送りボタン
１８  早送り／巻戻しボタン
１９  回転矢印ボタン
２０  日時設定部
２１  時計表示モード設定部
２２  時計表示ＯＮ／ＯＦＦ設定部
２３  時計表示位置設定部
【図１】
2005056232.tif 000003
【図２】
2005056232.tif 000004
【図３】
2005056232.tif 000005
【図４】
2005056232.tif 000006
【図５】
2005056232.tif 000007
【図６】
2005056232.tif 000008